(57)【特許請求の範囲】
【請求項１】
波形データをカラーの帯状表示にし、この帯状表示を積み重ねてなるカラーバーを表示するカラーバー表示装置において、
前記波形データの一定区間ごとの区間最大値と区間最小値とを検出する最大最小値検出手段と、
この最大最小値検出手段の区間最大値と区間最小値とを、値に対応した色分けまたは同一色の濃淡を記述したカラーテーブルに基づいて、カラーに対応づけるカラー対応手段と、
このカラー対応手段により対応づけられたカラーで、区間最大値と区間最小値とを上下または左右に並べて帯状に描画する描画手段と
を有することを特徴とするカラーバー表示装置。
【請求項２】
所定のスケールに基づいて、値に対応した色分けまたは同一色の濃淡を記述したカラーテーブルを作成するカラーテーブル作成手段を有することを特徴とする請求項１記載のカラーバー表示装置。
【請求項３】
波形データをカラーの帯状表示にし、この帯状表示を積み重ねてなるカラーバーを表示するカラーバー表示プログラムを記録した記録媒体において、
前記波形データの一定区間ごとの区間最大値と区間最小値とを検出し、
この区間最大値と区間最小値とを、値に対応した色分けまたは同一色の濃淡を記述したカラーテーブルに基づいて、カラーに対応づけ、
この対応づけられたカラーで、区間最大値と区間最小値とを上下または左右に並べて帯状に描画することを特徴とするカラーバー表示プログラムを記録した記録媒体。
【請求項４】
所定のスケールに基づいて、値に対応した色分けまたは同一色の濃淡を記述したカラーテーブルを作成することを特徴とする請求項３記載のカラーバー表示プログラムを記録した記録媒体。
【発明の詳細な説明】
【０００１】
【発明の属する技術分野】
本発明は、波形データをカラーの帯状表示にし、この帯状表示を積み重ねてなるカラーバーを表示するカラーバー表示装置及びカラーバー表示プログラムを記録した記録媒体に関し、特に、波形データの特徴を表示できるカラーバー表示装置及びカラーバー表示プログラムを記録した記録媒体に関するものである。
【０００２】
【従来の技術】
測定した波形データを表示する方法として、通常は、波形データをグラフのようにＹ軸に対するデータの位置を線で結んで表示を行っていた。また、他の表示方法として、表示場所の節約と多チャンネルを同時に表示するため、データをスケールによって色に変換し、その色で帯状に描画することにより、データの様子の表示を行っていた。例えば、５０段階の色で変換し、スケールの最小値を青、中間値を緑、最大値を赤として表示している。
【０００３】
このような装置を、図４を用いて説明する。
一定間隔ごとの波形データを、値に対応した色分けにより、”−９．０”は、青、”−１．２”は緑、”９．９”は赤に対応づけ、カラーバーに、それぞれ帯状ｉ，ｊ，ｋで表示する。
【０００４】
そして、具体的画面例を、図５を用いて説明する。
ウィンドウ画面Ｗは、カラーバー表示領域Ａと波形表示領域Ｂとを有する。カラーバー表示領域Ａは、波形表示領域Ｂに表示された波形をカラーバーとして表示している。カラーバー表示領域Ａは、波形表示領域Ｂの波形に示されている通り、ほとんどの個所が変化していないので、緑色の帯状が連続して積み重ねられて表示されいる。そして、波形表示領域Ｂの波形に変化がある個所が、帯状Ａ１〜Ａ６で表示される。帯状Ａ１〜Ａ６は、それぞれ、青，オレンジ，オレンジ，オレンジ，青，赤で表示される。
【０００５】
【発明が解決しようとする課題】
このように、大量の波形データをカラーバー表示する場合、表示領域に制限があるため、間引いて表示を行っていた。そのため、間引いたデータの中に重要なデータ（ピーク値）が存在した場合にはカラーバーに反映されないという問題点があった。つまり、図５では、波形表示領域Ｂでは、大きく変化している点は、１０箇所あるが、カラーバー表示領域Ａでは、緑色でない帯状表示は６箇所しか表示されていない。
【０００６】
そこで、本発明の目的は、波形データの重要なデータを認識できるカラーバー表示装置及びカラーバー表示プログラムを記録した記録媒体を実現することにある。
【０００７】
【課題を解決するための手段】
本発明は、
波形データをカラーの帯状表示にし、この帯状表示を積み重ねてなるカラーバーを表示するカラーバー表示装置において、
前記波形データの一定区間ごとの区間最大値と区間最小値とを検出する最大最小値検出手段と、
この最大最小値検出手段の区間最大値と区間最小値とを、値に対応した色分けまたは同一色の濃淡を記述したカラーテーブルに基づいて、カラーに対応づけるカラー対応手段と、
このカラー対応手段により対応づけられたカラーで、区間最大値と区間最小値とを上下または左右に並べて帯状に描画する描画手段と
を有することを特徴とするものである。
【０００８】
このような本発明では、最大最小値検出手段が、波形データの一定区間ごとの区間最大値と区間最小値とを検出する。この区間最大値と区間最小値とを、カラー対応手段が、カラーテーブルに基づいて、カラーに対応づける。そして、描画手段が、対応づけたカラーで、帯状に描画する。
【０００９】
【発明の実施の形態】
以下図面を用いて本発明を説明する。
図１は本発明の一実施例を示した構成図である。
図において、制御部１は、記憶部２と表示器３とを接続する。記憶部２は、例えば、ハードディスク等で、測定した波形データを記憶する。表示器３は、例えば、ＣＲＴ等で、ウィンドウ画面３０を表示し、ウィンドウ画面３０内にカラーバー３１を表示する。
【００１０】
制御部１は、テーブル作成手段１１，最大最小値検出手段１２，カラー対応手段１３，描画手段１４を有する。また、制御部１は、一般にコンピュータで構成され、テーブル作成手段１１，最大最小値検出手段１２，カラー対応手段１３，描画手段１４は、一般にプログラムで記述されている。そして、このプログラムは、一般に、フロッピー（登録商標）ディスク，コンパクトディスク等の記録媒体に記録され、この記録媒体からコンピュータにインストールされる。
【００１１】
テーブル作成手段１１は、所定のスケール（レンジ）に基づいて、値に対応した色分けまたは同一色の濃淡を記述したカラーテーブルを作成する。最大最小値検出手段１２は、記憶部２の波形データの一定区間ごとの区間最大値と区間最小値とを検出する。カラー対応手段１３は、最大最小値検出手段１２の区間最大値と区間最小値とを、テーブル作成手段１１が作成したカラーテーブルに基づいて、カラーに対応づける。描画手段１４は、カラー対応手段１３により対応づけられたカラーで帯状に描画する。
【００１２】
このような装置の動作を以下で説明する。
図２は図１に示す装置の動作を説明するフローチャートである。
図３は図１に示す装置の動作を説明する図である。
【００１３】
テーブル作成手段１１が、所定のスケール（レンジ）に基づいて、カラーテーブルを作成する。ここでは、スケールの最小値が青、中間値が緑、最大値が赤としている。そして、データ番号ｎｏを初期化、つまり、”０”を代入する。そして、最大最小値検出手段１２が、データ番号ｎｏから区間データ数ｓｋｉｐ分まで、つまり、区間ａの区間最大値と区間最小値とを求める。ここでは、区間最大値が、”９．５”、区間最小値が、”−９．０”となる。この区間最大値と区間最小値とから、カラー対応手段１３は、値に対応する色をカラーテーブルから求め、区間最大値は、”赤”、区間最小値は、”青”とする。描画手段１４は、データ番号ｎｏから描画位置を求め、求めた色と位置を用いて、カラーバーに、区間最大値の色を上側に長方形（帯状）ａ１を描画し、区間最小値の色を下側に長方形（帯状）ａ２を描画する。
【００１４】
データ番号ｎｏに、区間データｓｋｉｐを足して、データ番号ｎｏとし、データ番号ｎｏが波形データ数より小さければ、再び、最大最小値検出手段１２が、データ番号ｎｏから区間データ数ｓｋｉｐ分まで、つまり、区間ｂの区間最大値と区間最小値とを求め、それぞれ”６．１”，”−７．３”となる。カラー対応手段１３がカラーテーブルにより、区間最大値、区間最小値は、それぞれ”黄”，”青”となり、描画手段１４は、データ番号ｎｏから描画位置を求め、”黄”，”青”を用いて、カラーバーに、区間最大値の色を上側に長方形（帯状）ｂ１を描画し、区間最小値の色を下側に長方形（帯状）ｂ２を描画する。
【００１５】
同様に、再び、最大最小値検出手段１２が、データ番号ｎｏから区間データ数ｓｋｉｐ分まで、つまり、区間ｃの区間最大値と区間最小値とを求め、それぞれ”９．９”，”０．２”となる。カラー対応手段１３がカラーテーブルにより、区間最大値、区間最小値は、それぞれ”赤”，”緑”となり、描画手段１４は、データ番号ｎｏから描画位置を求め、”赤”，”緑”を用いて、カラーバーに、区間最大値の色を上側に長方形（帯状）ｃ１を描画し、区間最小値の色を下側に長方形（帯状）ｃ２を描画する。
【００１６】
上記の動作を、データ番号が、波形データ数以上なるまで、繰り返す。
【００１７】
このように、波形データの一定区間ごとの区間最大値と区間最小値とを求め、それぞれの値に対応したカラーを用いて、帯状に描画することにより、波形データをより正確に特徴を認識することができる。つまり、重要なデータを認識できる。
【００１８】
具体的に説明すると、図１のカラーバー３１を見ると、周辺と異なる帯状表示が１０箇所あり、これは、図５の波形表示領域Ｂの波形の変化数と同一となっている。従って、カラーバー３１により、波形データの特徴が認識できることがわかる。なお、図１に示されるカラーバー３１のほとんどの帯状個所は、図５と同様に、緑色であり、色が異なる帯状表示は、上側の帯状表示ｈ１〜ｈ７が、順番に青，赤，赤，赤，赤，赤，赤で、下側の帯状表示ｌ１〜ｌ５が、順番に青，赤，青，青，青となる。
【００１９】
また、区間最大値の帯状表示を上側、区間最小値の帯状表示を下側に配置したので、波形データの様子が理解しやすい。
【００２０】
そして、カラーバー作成手段１１が、所定のスケールに基づいて、カラーテーブルを作成するので、波形データの最大値，最小値の値が変化しても、スケールを変化させれば、区間最大値，区間最小値の特徴を正確に表示できる。
【００２１】
なお、本発明はこれに限定されるものではなく、テーブル作成手段１１がなく、予め決まったカラーテーブルでカラー対応手段１３がカラーを対応づける構成でもよい。
【００２２】
また、区間ごとの区間最大値，区間最小値を最大最小値検出手段１２が検出する構成を示したが、どちらか一方を検出し、カラー対応手段１３でカラーに対応づけ、帯状表示を描画する構成でもよい。
【００２３】
そして、区間最大値，区間最小値の帯状表示（長方形）を上下に表示する構成を示したが、カラーバーを縦に表示し、区間最大値，区間最小値の帯状表示を左右に表示する構成でもよい。
【００２４】
【発明の効果】
本発明によれば、以下のような効果がある。
請求項１，３によれば、波形データの一定区間ごとの区間最大値と区間最小値とを求め、値に対応したカラーを用いて、帯状に描画することにより、波形データをより正確に特徴を認識することができる。つまり、重要なデータを認識できる。
【００２５】
また、波形データの一定区間ごとの区間最大値，区間最小値の帯状表示を上下または左右に配置したので、波形データの様子が理解しやすい。
【００２６】
請求項２，４によれば、所定のスケールに基づいて、カラーテーブルを作成するので、波形データの最大値，最小値の値が変化しても、スケールを変化させれば、区間最大値，区間最小値の特徴を正確に表示できる。
【図面の簡単な説明】
【図１】本発明の一実施例を示した構成図である。
【図２】図１に示す装置の動作を示したフローチャートである。
【図３】図１に示す装置の動作を説明する図である。
【図４】従来のカラーバー表示装置の動作を説明する図である。
【図５】従来のカラーバー表示装置の具体的表示例を示した図である。
【符号の説明】
１１  カラーテーブル作成手段
１２  最大最小値検出手段
１３  カラー対応手段
１４  描画手段
３１  カラーバー
【図１】
0003543213.tif 000002
【図２】
0003543213.tif 000003
【図３】
0003543213.tif 000004
【図４】
0003543213.tif 000005
【図５】
0003543213.tif 000006